(57)【要約】【課題】  壁コンセントへ接続した電気器具コードの通電を、地震振動が予め個別設定した危険ゾーンに達したとき的確に遮断する壁コンセント用防災スイッチを提供する。【解決手段】  正面に電気器具用雌ソケット部７を設けると共に、背面に壁コンセント用雄プラグ８を突設したケース２内に、後方漸高傾斜の左右対称一対の傾斜レール３Ａ・３Ｂを対向空間Ｃを介して配設して該傾斜レールに磁力吸着性真円形の震動感知車４を転動自在に載設すると共に、傾斜レール３Ａ・３Ｂのそれぞれの後方部位に震動感知車４の吸着部５Ａ・５Ｂを対向スパンＬ調整自在に配設し、さらに傾斜レール３Ａ・３Ｂの下方に、雌ソケット部７と雄プラグ８間のスイッチ部Ｓを備え、スイッチ部Ｓは対向空間Ｃに停止した震動感知車４の中立状態でスイッチオンにして、かつ、受振による震動感知車４の傾斜レール３Ａ・３Ｂへの上昇移動によってスイッチオフの形態に構成した構造の防災スイッチ１が特徴である。【選択図】      図１
2006043156.tif 000002
【特許請求の範囲】
【請求項１】
正面に電気器具用雌ソケット部を設けると共に、背面に壁コンセント用雄プラグを突設したケース内に、後方漸高傾斜の左右対称一対の傾斜レールを対向空間を介して配設して該傾斜レールに磁力吸着性真円形の震動感知車を転動自在に載設すると共に、前記傾斜レールのそれぞれの後方部位に前記震動感知車の吸着部を対向スパン調整自在に配設し、さらに前記傾斜レールの下方に、前記雌ソケット部と前記雄プラグ間のスイッチ部を備え、該スイッチ部は前記対向空間に停止した前記震動感知車の中立状態でスイッチオンにして、かつ、受振による前記震動感知車の前記傾斜レールへの上昇移動によってスイッチオフの形態に構成した構造を特徴とする壁コンセント用防災スイッチ。
【請求項２】
震動感知車の車軸に係合する開脚形状にして上下スライド自在のリセットアームを備えたリセット部から成る該震動感知車の中立状態へのリセット手段を備えた請求項１に記載の壁コンセント用防災スイッチ。
【請求項３】
夜光性ケースから成る請求項１または請求項２に記載の壁コンセント用防災スイッチ。
【発明の詳細な説明】
【技術分野】
【０００１】
本発明は、地震震度が危険限界ゾーンに達したとき、壁コンセントに接続したテレビ・エアコン等の電気器具の電源を自動遮断して、通電による災害発生を未然防止するのに使用する壁コンセント用防災スイッチに関するものである。
【背景技術】
【０００２】
建物内に広く普及している壁コンセントでは、大地震が発生して接続通電状態の電気器具が転倒したり破損した場合でも通電が継続されてしまうので、火災等の事故原因となることがある。そこで、その難点を解消する「感震遮断コンセント」として特許文献１〜３に示される背景技術がある。
【０００３】
即ち、その特許文献１のものは、転動可能な球体を箱体内に収納して正常保持姿勢の該球体の底部と側部を導通部に接触導通させて正常通電を維持し、巨大地震によって該球体が底部導通部から離脱すると通電遮断する構造に設定されている。そして、特許文献２のものは「通電維持・通電遮断用の重心偏心カム」をケーシング内に回動自在に支承し、地震振動によって該偏心カムが回動すると通電遮断する構造を特徴としている。
【０００４】
そして、特許文献３のものは、ケーシング内に垂錘つきコイルばねを吊設し、地震振動によって該垂錘が上下動・左右動してケーシング内の集電体に接触すると、別に設けた漏電ブレーカーに感知させて通電遮断する構造を有している。
【０００５】
【特許文献１】特開平１０−１７４２７４号公報
【特許文献２】登録実用新案第３０１８１４４号公報
【特許文献３】特開２００２−３２０６８５公報
【発明の開示】
【発明が解決しようとする課題】
【０００６】
以上の背景技術のものは、通電遮断作用する限界振度が予め設計設定された限定構造のため、現に壁コンセントが存在する建物構造や耐振状態（鉄筋コンクリート建物・木造新築構造・木造老朽化構造等）或は同一地震規模に対して震幅が異なる壁コンセントの高さ位置（建物の１階か３階か等）に、個別適応させたり地震多発地域での異常震度のみに対応させる等の調整セットが不能にして実用性に欠ける。
【０００７】
さらに、特許文献１のものは振動感知体としてボール球を用いるので収納するケーシングの巨大化が避けられず、また特許文献２のものは受振による振幅活用構造であることから同じくケーシングの長大化が避けられず、壁コンセント部位の巨大化邪魔物にして屋内活用性・美観性を損うと共に、広く普及している例えば上下一対ダブル型壁コンセントへの適用性に欠ける。
【０００８】
本発明は、以上の背景技術の難点を解消し、実用性に富む壁コンセント用防災スイッチを提供するものである。
【課題を解決するための手段】
【０００９】
以上の技術課題を解決する本発明は「正面に電気器具用雌ソケット部を設けると共に、背面に壁コンセント用雄プラグを突設したケース内に、後方漸高傾斜の左右対称一対の傾斜レールを対向空間を介して配設して該傾斜レールに磁力吸着性真円形の震動感知車を転動自在に載設すると共に、前記傾斜レールのそれぞれの後方部位に前記震動感知車の吸着部を対向スパン調整自在に配設し、さらに前記傾斜レールの下方に、前記雌ソケット部と前記雄プラグ間のスイッチ部を備え、該スイッチ部は前記対向空間に停止した前記震動感知車の中立状態でスイッチオンにして、かつ、受振による前記震動感知車の前記傾斜レールへの上昇移動によってスイッチオフの形態に構成した」が特徴である。
【００１０】
即ち、前記構成の本発明の「壁コンセント用防災スイッチ」は、前記中立状態の震動感知車が地震振動を受けると、その振動外力によって前記傾斜レールを自走上昇してコンセント用スイッチをオフ状態にすると共に、その自走上昇が危険振動の振幅ゾーンに達すると、前記の吸着部に吸着させてロックして通電遮断のオフ状態を維持する。そして、その吸着ロックの限界振幅は前記吸着部の相互スパンの調整設定によって個別設定するスイッチ機能に構成されている。なお、前記の振動感知車と吸着部は、近接して相互吸着すると共に相互離反可能の磁石体と磁石吸着体の組合せに構成される。
【００１１】
そして、以上の構成のものにおいて「吸着部に吸着ロックされた振動感知車をワンタッチ離反させるリセット手段」を設けたり、「暗中でも視認可能にして、安全性・通電復帰操作性を高める夜光性ケース」等の態様を採択する。
【発明の効果】
【００１２】
以上の構成の本発明の「壁コンセント用防災スイッチ」は対称１対にケース内配設する前記吸着部の相互間隔の機械的調整機構が簡便に採択できるので、取着する壁コンセントの受振状態を考慮した相対スパンに個別調整セット可能にして、当該壁コンセント用防災スイッチを取着する壁コンセントの限界危険振動に個個に対応させてセットすることによって、通電遮断を要しない許容振幅内の無用な通電遮断作用を防止して真に危険切迫の情況のもとにおいてのみ有効に通電遮断維持作用させ、実用性を特段に向上させることができる。
【００１３】
そして、その構成要素の主要部が真円車輪の震動感知車と、それを吸着させる吸着部から成るで、構造簡素にして小型薄型化が可能にして、壁コンセント用としての空間占有度が少く、かつ、外観意匠性も屋内美観を損わない優れたものにできる。そして、その壁コンセント用雄プラグを、ケース体の上方突設と下方突設の２形態にすることによって、現に存在する上下ダブル形態の壁コンセントに有用に着用できる。以上の高実用性の主たる作用効果がある。
【発明を実施するための最良の形態】
【００１４】
以下、本発明の好ましい実施例を説明する。
【実施例】
【００１５】
まず、図１・図２を参照して本発明の１実施例の壁コンセント用防災スイッチ１（以下、単に防災スイッチ１という）を説明する。即ち、防災スイッチ１は、方形薄形のケース２内の上下方向の中間部位に、ケース２の左右方向へ緩やかに上昇傾斜する「対称１対板状の傾斜レール３Ａ・３Ｂ」が突き合せ状に設けてあり、この傾斜レール３Ａ・３Ｂの対向部位は若干量（この実施例のものは約１０粍）の対向空間Ｃが設定されている。
【００１６】
そして、この対向空間Ｃ上には、真円薄板形状の磁石吸着材から成る震動感知車４が載設され、さらに傾斜レール３Ａ・３Ｂのそれぞれの上昇終端部位に、対称１対の吸着磁石部５Ａ・５Ｂ（前記構成要件の吸着部）が、正面を震動感知車４の外周に臨ませて垂設固定されており、対向空間Ｃ上に停止した中立姿勢の震動感知車４が地震振動を受けると、図示点線のように傾斜レール３Ａ・３Ｂのいずれかを上昇転動して移動して移動方向の吸着磁石部５Ａ・５Ｂのいずれかに吸着されて維持される。
【００１７】
そして、以上の震動感知車４の吸着用の吸着磁石部５Ａ・５Ｂはケース２内に横設した「ねじ竿形態の支承軸１０」に支承吊設されており、その支承軸１０の軸端のケース２の周壁に露出している操作部１１を回動させることによって、磁石吸着部５Ａ・５Ｂの対向スパンＬが任意選択的に調整セットできる相対間隔調整手段を備えている。
【００１８】
そして、（図１（Ｂ）（Ｃ）参照）ケース２の下方空間には、電気器具用の雌ソケット部７をケース表面２Ａに設けると共に、防災スイッチ１を差し込みセットする壁コンセント用雄プラグ８がケース背面２Ｂに突設され、さらに、この雌ソケット部７と雄プラグ８間を導通したり遮断するスイッチ部Ｓが、ケース２に内設されている。
【００１９】
詳しくは、そのスイッチ部Ｓは上方に突き出している「スイッチＳのオンオフ用の片持ばね片のオンオフ片９」の先端が、前記中立状態の震動感知車４の下面外周に接触して押え込まれてスイッチオン状態になって、前記の雄プラグ８と雌ソケット部７間の通電を維持する状態にセットされている。
【００２０】
以上の構造から成る防災スイッチ１は、雄プラグ８を壁コンセント１５に差込んでケース２が上下姿勢を呈して壁コンセント１５存在の壁部Ｗに添設される姿勢にして取着されると共に、吸着磁石部５Ａ・５Ｂの対向スパンＬを地震防災上「震動感知車４を吸着保持すべき長さ」に設定固定すると共に、後述するリセット部１２の操作バー２０を押し下げて震動感知車４を前記の中立状態に確実にセットする。しかるのち、その取着姿勢で正面２Ａ側の雌ソケット部７に電気器具コード１７の雄端子１６を差込み接続して使用される。
【００２１】
かくして、その使用状態において当該壁コンセント１５部位が地震振動を受けて「当該電気器具の電源を遮断すべき限界危険振動」に達すると、その振動によって傾斜レール３Ａ・３Ｂのいずれかに上昇転位した震動感知車４が吸着磁石部５Ａ・５Ｂに吸着保持されて、電気器具コード１７の通電を遮断維持して防災するように成っている。
【００２２】
なお、この実施例のものは暗中視認性を向上して安全性・使用性をより向上させる意図で夜光性ケース２に形成されており、さらに（図２参照）吸着磁石部５Ａ・５Ｂに吸着されてスイッチ部Ｓがオフ状態となったとき、その吸着をワンタッチ的に解除して前記中立状態に復帰させるスイッチ部Ｓのリセット手段が設けてある。
【００２３】
詳しくは、このリセット手段を構成するリセット部１２はケース２の上部から突き出して上下スライド自在の操作バー２０の下端に開脚状のリセットアーム２１を設けた形状から成り、吸着磁石部５Ａ・５Ｂのいずれかに吸着保持された震動感知車４の車軸６がリセットアーム２１の内側に存在する形状を有し、その操作バー２０を押し下げることによって震動感知車４を吸着磁石部５Ａ・５Ｂから強制離反させて、前記中立位置に自力復帰させ、スイッチ部Ｓがワンタッチ的にオン状態にリセットできる形態に設定されている。なお、図中の２２は操作バー２０の「自動上昇リターン用の付勢ばね」である。
【００２４】
以上の実施例の防災スイッチ１のケース２は、一般家庭・事務所の壁コンセント用として、例えば「約５０粍×約４０粍×約１５粍（幅）」の小形コンパクト形状も可能にして、壁コンセント部位の邪魔物にならず、かつ屋内美観を損うことがない。
【００２５】
そして、壁コンセント１５の存在ポイント毎の限界危険振動に対応させた防災スイッチ機能がセットできるので、許容振動内で高頻度に発生する無用なスイッチオフ作動を防止すると共に、限界危険振動によってスイッチオフとなっても振動終了後のワンタッチ復帰が可能にして壁コンセント１５の地震防災管理が特段に簡易かつ的確にできる等の有用な作用効果がある。
【００２６】
続いて図３を参照して、本発明の他の実施例の防災コンセント１を説明する。即ち、この図３のものは一般に広く普及している上下２段ツイン形態の壁コンセント１５に装着可能に構成したものにして、壁コンセント用雄プラグ８がケース２の上方部位と下方部位に突設された上下ツイン形態に成っている。このツイン形態のものは２個の防災スイッチ１を上下ツイン形態の壁コンセント１５Ａ・１５Ｂに装着して防災機能させることができる。
【００２７】
なお、本発明の防災スイッチは、前記の対向スパンＬの調整セット手段やリセット手段を他の構成にしたり、または磁石吸着部５Ａ・５Ｂの形状を震動感知車４の両側を挟んで吸着固定させる形態にしたり、さらに、震動感知車４の傾斜レール３Ａ・３Ｂの上昇移動と中立位置への復帰移動の一段の円滑化を図るために、車軸６の案内溝をケース２に設ける等の変化がある。
【図面の簡単な説明】
【００２８】
【図１】本発明１実施例の壁コンセント用防災スイッチを示し、（Ａ）はその構造説明の正面図、（Ｂ）はその側面図、（Ｃ）は使用状態の側面図
【図２】図１実施例の壁コンセント用防災スイッチのリセット手段の構造説明図
【図３】本発明の他の実施例の壁コンセント用防災スイッチの構造と使用状態を示す側面図
【符号の説明】
【００２９】
１  壁コンセント用防災スイッチ
２  ケース
３Ａ・３Ｂ  傾斜レール
４  震動感知車
５Ａ・５Ｂ  吸着磁石部
６  車軸
７  電気器具用雌ソケット部
８  壁コンセント用雄プラグ
９  スイッチオンオフ片
１０  支承軸
１２  リセット部
１５  壁コンセント
１６  電気器具コードの雄端子
１７  電気器具コード
２０  操作バー
２１  リセットアーム
Ｃ  対向空間
Ｌ  吸着磁石部の対向スパン
Ｓ  スイッチ部
Ｗ  壁部
【図１】
2006043156.tif 000003
【図２】
2006043156.tif 000004
【図３】
2006043156.tif 000005